(57)【要約】【課題】多くの電力を消費しているアプリケーションを認識することができるバッテリー消費確認装置を提供する。【解決手段】本発明の一形態に係るバッテリー消費確認装置１は、表示手段６と、携帯端末装置１０のバッテリー残量を測定するバッテリー残量測定手段２と、動作するアプリケーションを検出するアプリケーション検出手段３と、測定したバッテリー残量を示す情報と検出したアプリケーションを示す情報とを時間的に関連付けて保存する保存手段４と、時間的に関連付けられた測定したバッテリー残量を示す情報と検出したアプリケーションを示す情報とを保存手段４から取得して表示手段６に表示させる表示情報取得手段５と、を備える。【選択図】図１
2014096634.tif 000002
【特許請求の範囲】
【請求項１】
表示手段と、
携帯端末装置のバッテリー残量を測定するバッテリー残量測定手段と、
動作するアプリケーションを検出するアプリケーション検出手段と、
前記測定したバッテリー残量を示す情報と前記検出したアプリケーションを示す情報とを時間的に関連付けて保存する保存手段と、
時間的に関連付けられた前記測定したバッテリー残量を示す情報と前記検出したアプリケーションを示す情報とを前記保存手段から取得して前記表示手段に表示させる表示情報取得手段と、
を備える、バッテリー消費確認装置。
【請求項２】
時刻を測定するタイマーと、
第１の時刻及び第２の時刻を入力する入力手段と、
前記第１の時刻に動作するアプリケーションを示す情報と、前記第２の時刻に動作するアプリケーションを示す情報と、を前記保存手段から取得し、前記第１の時刻に動作するアプリケーションと、前記第２の時刻に動作するアプリケーションと、を比較して比較結果を示す情報を前記保存手段に出力する第１の比較手段と、
を備え、
前記保存手段は、前記タイマーから時刻情報を取得し、前記測定したバッテリー残量を示す情報及び前記検出したアプリケーションを示す情報に前記時刻情報を付加して保存し、
前記表示情報取得手段は、前記比較結果を示す情報を前記保存手段から取得して前記表示手段に表示させる、請求項１に記載のバッテリー消費確認装置。
【請求項３】
所定の間隔での前記バッテリー残量の減少が予め設定された閾値以上か否かを判定する判定手段と、
前記所定の間隔でのバッテリー残量の減少が前記閾値以上となる前に動作するアプリケーションを示す情報と、前記所定の間隔でのバッテリー残量の減少が前記閾値以上となった時に動作するアプリケーションを示す情報と、を前記保存手段から取得し、前記閾値以上となる前に動作するアプリケーションと、前記閾値以上となった時に動作するアプリケーションと、を比較して比較結果を示す情報を前記保存手段に出力する第２の比較手段と、
を備え、
前記表示情報取得手段は、前記比較結果を示す情報を前記保存手段から取得して前記表示手段に表示させる、請求項１又は２に記載のバッテリー消費確認装置。
【請求項４】
前記携帯端末装置のデバイスの動作状態を検出する動作状態検出手段を備え、
前記保存手段は、前記携帯端末装置のデバイスの動作状態を示す情報を前記測定したバッテリー残量を示す情報及び前記検出したアプリケーションを示す情報と時間的に関連付けて保存し、
前記表示情報取得手段は、前記測定したバッテリー残量を示す情報及び前記検出したアプリケーションを示す情報と時間的に関連付けられた前記携帯端末装置のデバイスの動作状態を示す情報を前記保存手段から取得して前記表示手段に表示させる、請求項１乃至３のいずれか１項に記載のバッテリー消費確認装置。
【請求項５】
請求項１乃至４のいずれか１項に記載のバッテリー消費確認装置を備える携帯端末装置。
【請求項６】
携帯端末装置のバッテリー残量を測定する工程と、
動作するアプリケーションを検出する工程と、
前記測定したバッテリー残量を示す情報と前記検出したアプリケーションを示す情報とを時間的に関連付けて保存する工程と、
時間的に関連付けられた前記測定したバッテリー残量を示す情報と前記検出したアプリケーションを示す情報とを表示する工程と、
を備える、バッテリー消費確認方法。
【請求項７】
第１の時刻及び第２の時刻を入力する工程と、
前記測定したバッテリー残量を示す情報及び前記検出したアプリケーションを示す情報に時刻情報を付加して保存する工程と、
前記第１の時刻に動作するアプリケーションを示す情報と、前記第２の時刻に動作するアプリケーションを示す情報と、を取得し、前記第１の時刻に動作するアプリケーションと、前記第２の時刻に動作するアプリケーションと、を比較する工程と、
前記比較した結果を表示する工程と、
を備える、請求項６に記載のバッテリー消費確認方法。
【請求項８】
所定の間隔での前記バッテリー残量の減少が予め設定された閾値以上か否かを判定する工程と、
前記所定の間隔でのバッテリー残量の減少が前記閾値以上となる前に動作するアプリケーションを示す情報と、前記所定の間隔でのバッテリー残量の減少が前記閾値以上となった時に動作するアプリケーションを示す情報と、を取得し、前記閾値以上となる前に動作するアプリケーションと、前記閾値以上となった時に動作するアプリケーションと、を比較する工程と、
前記比較した結果を表示する工程と、
を備える、請求項６又は７に記載のバッテリー消費確認方法。
【請求項９】
前記携帯端末装置のデバイスの動作状態を検出する工程と、
前記携帯端末装置のデバイスの動作状態を、前記測定したバッテリー残量を示す情報及び前記検出したアプリケーションを示す情報と時間的に関連付けて保存する工程と、
前記測定したバッテリー残量を示す情報及び前記検出したアプリケーションを示す情報と時間的に関連付けられた前記携帯端末装置のデバイスの動作状態を示す情報を表示する工程と、
を備える、請求項６乃至８のいずれか１項に記載のバッテリー消費確認方法。
【請求項１０】
コンピュータに、
携帯端末装置のバッテリー残量を測定する処理と、
動作するアプリケーションを検出する処理と、
前記測定したバッテリー残量を示す情報と前記検出したアプリケーションを示す情報とを時間的に関連付けて保存する処理と、
時間的に関連付けられた前記測定したバッテリー残量を示す情報と前記検出したアプリケーションを示す情報とを表示する処理と、
を実行させる、バッテリー消費確認プログラム。
【請求項１１】
コンピュータに、
第１の時刻及び第２の時刻を入力する処理と、
前記測定したバッテリー残量を示す情報及び前記検出したアプリケーションを示す情報に時刻情報を付加して保存する処理と、
前記第１の時刻に動作するアプリケーションを示す情報と、前記第２の時刻に動作するアプリケーションを示す情報と、を取得し、前記第１の時刻に動作するアプリケーションと、前記第２の時刻に動作するアプリケーションと、を比較する処理と、
前記比較した結果を表示する処理と、
を実行させる、請求項１０に記載のバッテリー消費確認プログラム。
【請求項１２】
コンピュータに、
所定の間隔での前記バッテリー残量の減少が予め設定された閾値以上か否かを判定する処理と、
前記所定の間隔でのバッテリー残量の減少が前記閾値以上となる前に動作するアプリケーションを示す情報と、前記所定の間隔でのバッテリー残量の減少が前記閾値以上となった時に動作するアプリケーションを示す情報と、を取得し、前記閾値以上となる前に動作するアプリケーションと、前記閾値以上となった時に動作するアプリケーションと、を比較する処理と、
前記比較した結果を表示する処理と、
を実行させる、請求項１０又は１１に記載のバッテリー消費確認プログラム。
【請求項１３】
コンピュータに、
前記携帯端末装置のデバイスの動作状態を検出する処理と、
前記携帯端末装置のデバイスの動作状態を、前記測定したバッテリー残量を示す情報及び前記検出したアプリケーションを示す情報と時間的に関連付けて保存する処理と、
前記測定したバッテリー残量を示す情報及び前記検出したアプリケーションを示す情報と時間的に関連付けられた前記携帯端末装置のデバイスの動作状態を示す情報を表示する処理と、
を実行させる、請求項１０乃至１２のいずれか１項に記載のバッテリー消費確認プログラム。
【発明の詳細な説明】
【技術分野】
【０００１】
本発明は、バッテリー消費確認装置、バッテリー消費確認方法、バッテリー消費確認プログラム及び携帯端末装置に関する。
【背景技術】
【０００２】
携帯電話機、ＰＤＡ（Personal Digital Assistants）、電子手帳に代表される携帯端末装置は、一般的に、内蔵したバッテリーにより電力が供給される。一度の充電で利用可能な時間は、ＣＰＵ（Central Processing Unit）などの各デバイスの使用時間に依存する。そして、利用者が実行するアプリケーションによって、これらの使用時間は影響を受ける。従って、より長い時間携帯端末装置を利用するためには、電力消費の大きいアプリケーションの利用時間をできるだけ短くすることが望ましい。
そこで、特許文献１の電子機器は、システムの通常使用時においてユーザの操作毎に消費電力を計測し、この計測結果に基づいてシステムを制御している。
【先行技術文献】
【特許文献】
【０００３】
【特許文献１】特開２００７−１９８９９４号公報
【発明の概要】
【発明が解決しようとする課題】
【０００４】
携帯端末装置では多くのアプリケーションが動作しているが、特許文献１の電子機器は、実際に多くの電力を消費しているアプリケーションを認識することは難しい。
【０００５】
本発明の目的は、上述した課題を解決するためになされたものであり、多くの電力を消費しているアプリケーションを認識することができるバッテリー消費確認装置、バッテリー消費確認方法、バッテリー消費確認プログラム及び携帯端末装置を提供することである。
【課題を解決するための手段】
【０００６】
本発明の一形態に係るバッテリー消費確認装置は、表示手段と、携帯端末装置のバッテリー残量を測定するバッテリー残量測定手段と、動作するアプリケーションを検出するアプリケーション検出手段と、前記測定したバッテリー残量を示す情報と前記検出したアプリケーションを示す情報とを時間的に関連付けて保存する保存手段と、時間的に関連付けられた前記測定したバッテリー残量を示す情報と前記検出したアプリケーションを示す情報とを前記保存手段から取得して前記表示手段に表示させる表示情報取得手段と、を備える。
【０００７】
本発明の一形態に係る携帯端末装置は、上述のバッテリー消費確認装置を備える。
【０００８】
本発明の一形態に係るバッテリー消費確認方法は、携帯端末装置のバッテリー残量を測定する工程と、動作するアプリケーションを検出する工程と、前記測定したバッテリー残量を示す情報と前記検出したアプリケーションを示す情報とを時間的に関連付けて保存する工程と、時間的に関連付けられた前記測定したバッテリー残量を示す情報と前記検出したアプリケーションを示す情報とを表示する工程と、を備える。
【０００９】
本発明の一形態に係るバッテリー消費確認プログラムは、コンピュータに、携帯端末装置のバッテリー残量を測定する処理と、動作するアプリケーションを検出する処理と、前記測定したバッテリー残量を示す情報と前記検出したアプリケーションを示す情報とを時間的に関連付けて保存する処理と、時間的に関連付けられた前記測定したバッテリー残量を示す情報と前記検出したアプリケーションを示す情報とを表示する処理と、を実行させる。
【発明の効果】
【００１０】
本発明によれば、多くの電力を消費しているアプリケーションを認識することができるバッテリー消費確認装置、バッテリー消費確認方法、バッテリー消費確認プログラム及び携帯端末装置を提供することができる。
【図面の簡単な説明】
【００１１】
【図１】実施の形態１のバッテリー消費確認装置の構成ブロック図である。
【図２】実施の形態２の携帯端末装置の機能ブロック図である。
【図３】実施の形態２の携帯端末装置の斜視図である。
【図４】実施の形態２の携帯端末装置における制御部の構成ブロック図である。
【図５】実施の形態２の携帯端末装置の動作を示すフローチャートである。
【図６】図５のＳ２の工程を詳細に説明するためのフローチャートである。
【図７】バッテリー消費確認における時間的に関連付けられた、バッテリー残量を示す情報とアプリケーションを示す情報との表示例である。
【図８】バッテリー消費確認の比較結果の表示例である。
【図９】実施の形態３の携帯端末装置における制御部の構成ブロック図である。
【図１０】実施の形態４の携帯端末装置における制御部の構成ブロック図である。
【発明を実施するための形態】
【００１２】
本発明の実施の形態に係るバッテリー消費確認装置、バッテリー消費確認方法、バッテリー消費確認プログラム及び携帯端末装置について説明する。但し、本発明が以下の実施の形態に限定される訳ではない。また、説明を明確にするため、以下の記載及び図面は、適宜、簡略化されている。
【００１３】
＜実施の形態１＞
図１は、本実施の形態のバッテリー消費確認装置の構成ブロック図である。バッテリー消費確認装置１は、バッテリー残量測定部２、アプリケーション検出部３、保存部４、表示情報取得部５及び表示部６を備えている。
【００１４】
バッテリー残量測定部２は、携帯端末装置のバッテリー残量を測定する。バッテリー残量測定部２は、測定したバッテリー残量を示す情報を保存部４に出力する。
【００１５】
アプリケーション検出部３は、携帯端末装置において動作しているアプリケーションを検出する。アプリケーション検出部３は、検出したアプリケーションを示す情報を保存部４に出力する。
【００１６】
保存部４は、入力されるバッテリー残量を示す情報とアプリケーションを示す情報とを時間的に関連付けて保存する。
【００１７】
表示情報取得部５は、時間的に関連付けられたバッテリー残量を示す情報とアプリケーションを示す情報とを保存部４から取得して表示部６に表示させる。
【００１８】
これにより、携帯端末装置のユーザは、どのアプリケーションが動作することによって、どのようにバッテリー残量が変化するかを認識することができる。その結果、多くの電力を消費しているアプリケーションを認識することができる。
【００１９】
＜実施の形態２＞
図２は、本実施の形態の携帯端末装置の機能ブロック図である。図３は、本実施の形態の携帯端末装置の斜視図である。この携帯端末装置にバッテリー消費確認装置が搭載されている。
【００２０】
図２に示すように、携帯端末装置１０は、制御部１１、保存部１２、タイマー１３、バッテリー１４、バッテリー制御部１５、表示部１６、表示制御部１７、タッチパネル１８及びタッチパネル入力部１９等を備えている。これらの要素は、筐体２０に搭載されており、図３に示すように、筐体２０の開口部２０ａから表示部１６及びタッチパネル１８が露出する。
【００２１】
図４は、制御部の構成ブロック図である。図４に示すように、制御部１１は、アプリケーション実行部１１１、バッテリー残量測定部１１２、アプリケーション検出部１１３、比較部１１４及び表示情報取得部１１５などを備えている。この制御部１１は、バス２１を介して保存部１２、タイマー１３、バッテリー制御部１５、表示制御部１７及びタッチパネル入力部１９に接続されている。
【００２２】
アプリケーション実行部１１１は、ユーザによってタッチパネル１８から入力される情報に基づいて、保存部１２から各種のアプリケーションを取得して実行し、バッテリー制御部１５、表示制御部１７などを制御する。
【００２３】
バッテリー残量測定部１１２は、バッテリー１４の残量を測定し、測定したバッテリー残量を示す情報を時系列で保存部１２に出力する。
【００２４】
アプリケーション検出部１１３は、アプリケーション実行部１１１で実行しているアプリケーションを検出し、検出したアプリケーションを示す情報を時系列で保存部１２に出力する。
【００２５】
比較部１１４は、詳細は後述するが、第１の時刻に動作するアプリケーションと、第２の時刻に動作するアプリケーションと、を比較して比較結果を示す情報を保存部１２に出力する。
【００２６】
表示情報取得部１１５は、表示部１６に表示させる情報を保存部１２から取得して表示制御部１７に出力する。
【００２７】
保存部１２は、ＲＯＭ（Read Only Memory）１２１及びＲＡＭ（Random Access Memory）１２２を備えている。ＲＯＭ１２１は、携帯端末装置１０の機能を実現するための各種のアプリケーションや固定的な情報を格納する。ＲＡＭ１２２は、作業用メモリであり、ＣＰＵがアプリケーションを実行する上で一時的に必要とされる情報を格納する。
【００２８】
タイマー１３は、時間情報を取得するための計時回路である。タイマー１３は、時刻情報を保存部１２に出力する。
【００２９】
バッテリー１４は、携帯端末装置１０を駆動するための電源である。例えばバッテリー１４は、リチウムイオン電池を備えている。バッテリー制御部１５は、バッテリー１４を制御するための制御回路である。つまり、バッテリー制御部１５は、制御部１１の制御情報に基づいてバッテリー１４を制御する。
【００３０】
表示部１６は、白黒若しくはカラーの液晶パネル又は有機ＥＬ（電子蛍光）などを備えている。但し、表示部１６は、他の表示パネルを用いることもできる。表示制御部１７は、表示部１６の制御回路である。つまり、表示制御部１７は、制御部１１の制御情報に基づいて表示部１６を制御する。
【００３１】
タッチパネル１８は、透過型のタッチパネルであり、表示部１６の上面に重ね合わせる形で配置されている。タッチパネル１８としては、静電容量方式などの一般的な方式のタッチパネルを採用することができる。タッチパネル入力部１９は、タッチパネル１８からの入力を受け付ける入力回路である。
【００３２】
このような携帯端末装置１０は、以下のように動作する。図５は、携帯端末装置１０の動作を示すフローチャートである。
【００３３】
図５に示すように、先ずユーザが所望のアプリケーションを動作させるためにタッチパネル１８に接触すると、タッチパネル入力部１９は、タッチパネル１８から入力される情報を制御部１１に出力する。これにより、制御部１１のアプリケーション実行部１１１は、所望のアプリケーションを保存部１２から読み出して起動させる（Ｓ１）。
【００３４】
さらに、ユーザがタッチパネル１８を介してバッテリー消費確認の開始／終了ボタンＢ１（図７を参照）を押下すると、タッチパネル入力部１９は、タッチパネル１８から入力される情報を制御部１１に出力する。
【００３５】
制御部１１は、入力された情報に基づいてバッテリー消費確認を開始する。ちなみに、制御部１１は、例えば一回目に開始／終了ボタンＢ１が押下されると、バッテリー消費確認を開始し、次に開始／終了ボタンＢ１が押下されると、バッテリー消費確認を終了する。
【００３６】
次に、時刻情報と共にバッテリー残量を示す情報及び動作しているアプリケーションを示す情報を取得する（Ｓ２）。ここで、図６は、図５のＳ２の工程を詳細に説明するためのフローチャートである。
【００３７】
図６に示すように、バッテリー残量測定部１１２は、バッテリー１４のバッテリー残量を測定する（Ｓ２１）。例えばバッテリー残量測定部１１２は、図示を省略した電圧測定器を備えており、バッテリー１４から制御部１１に印加される電圧を連続的又は間欠的に測定し、当該測定した電圧に基づいてバッテリー残量を算出する。そして、バッテリー残量測定部１１２は、算出したバッテリー残量を示す情報を時系列で保存部１２に出力する。保存部１２は、入力されたバッテリー残量を示す情報を時系列で保存する。
【００３８】
次に、アプリケーション検出部１１３は、アプリケーション実行部１１１で実行させているアプリケーションを検出する（Ｓ２２）。そして、アプリケーション検出部１１３は、検出したアプリケーションを示す情報を時系列で保存部１２に出力する。保存部１２は、入力されたアプリケーションを示す情報を時系列で保存する。
【００３９】
次に、保存部１２は、タイマー１３から時刻情報を取得する（Ｓ２３）。そして、保存部１２は、入力されたバッテリー残量を示す情報及びアプリケーションを示す情報に、時刻情報を付加して保存する。
【００４０】
次に、制御部１１は、タイマー１３からの時刻情報に基づいて、Ｓ２１〜Ｓ２３の工程が終了してから所定の時間経過したか否かを判定する（Ｓ２４）。つまり、本実施の形態の制御部１１は、間欠的にＳ２１〜Ｓ２３の工程を繰り返す。制御部１１は、Ｓ２１〜Ｓ２３の工程が終了してから所定の時間経過したと判定すると、Ｓ２１〜Ｓ２３の工程を実行する（Ｓ２４のＹＥＳ）。一方、制御部１１は、Ｓ２１〜Ｓ２３の工程が終了してから所定の時間経過していないと判定すると、再度、Ｓ２４の工程を実行する（Ｓ２４のＮＯ）。
【００４１】
図５に戻って、次に、表示情報取得部１１５は、時刻情報が付加されたバッテリー残量を示す情報、及び同じく時刻情報が付加されたアプリケーションを示す情報を保存部１２から取得して、時間的に関連付けられたバッテリー残量を示す情報とアプリケーションを示す情報とを表示制御部１７に出力する。表示制御部１７は、入力された時間的に関連付けられたバッテリー残量を示す情報とアプリケーションを示す情報とを表示部１６に表示する（Ｓ３）。
【００４２】
ここで、図７は、バッテリー消費確認における時間的に関連付けられた、バッテリー残量を示す情報とアプリケーションを示す情報との表示例である。図７に示すように、本実施の形態では、バッテリー残量と時刻とが関連付けられたグラフが表示部１６に表示されている。そして、所望の時刻（図７では破線で示された時刻）において動作している各種のアプリケーションが表示部１６に表示されている。
【００４３】
例えばユーザは、タッチパネル１８におけるバッテリー残量と時刻との関係を示すグラフの横軸の所望の時刻位置に接触すると、タッチパネル１８はユーザが接触した座標情報をタッチパネル入力部１９に出力する。タッチパネル入力部１９は、入力された座標情報を表示情報取得部１１５に出力する。表示情報取得部１１５は、入力された座標情報に基づいて所望の時刻を導き出し、当該時刻において動作するアプリケーションを示す情報を保存部１２から取得して表示制御部１７に出力する。表示制御部１７は、入力された所望の時刻において動作するアプリケーションを示す情報を表示部１６に表示させる。
【００４４】
ちなみに、上述のように図７で示される開始／終了ボタンＢ１をユーザがタッチパネル１８を介して押下すると、制御部１１はバッテリー消費確認を開始したり、終了したりする。また、比較ボタンＢ２をユーザがタッチパネル１８を介して押下すると、後述のように制御部１１は第１の時刻で動作するアプリケーションと、第２の時刻で動作するアプリケーションと、の比較を実行する。
【００４５】
次に、制御部１１は、ユーザがタッチパネル１８を介して開始／終了ボタンＢ１が押下されたか否かを判定する（Ｓ４）。つまり、制御部１１は、バッテリー消費確認を終了するか否かを判定する。制御部１１は、タッチパネル１８から入力される情報に基づいて、バッテリー消費確認の開始／終了ボタンＢ１が押下されたと判定すると（Ｓ４のＹＥＳ）、バッテリー消費確認を終了する。
【００４６】
一方、制御部１１は、タッチパネル１８から入力される情報に基づいて、バッテリー消費確認の開始／終了ボタンＢ１が押下されていないと判定すると（Ｓ４のＮＯ）、制御部１１の比較部１１４は、ユーザがタッチパネル１８を介して比較ボタンＢ２（図７を参照）を押下したか否かを判定する（Ｓ５）。比較部１１４は、タッチパネル１８から入力される情報に基づいて、比較ボタンＢ２が押下されていないと判定すると（Ｓ５のＮＯ）、Ｓ４の工程に戻る。
【００４７】
一方、比較部１１４は、タッチパネル１８から入力される情報に基づいて、比較ボタンＢ２が押下されたと判定すると（Ｓ５のＹＥＳ）、ユーザがタッチパネル１８を介して第１の時刻を入力したか否かを判定する（Ｓ６）。
【００４８】
ここで、図８は、バッテリー消費確認の比較結果の表示例である。図８に示すように、バッテリー残量と時刻とが関連付けられたグラフと、第１の時刻（図８では一点鎖線で示された時刻）に動作するアプリケーションと第２の時刻（図８では二点鎖線で示された時刻）に動作するアプリケーションとの比較結果と、が表示部１６に表示されている。
【００４９】
例えばユーザは、タッチパネル１８におけるバッテリー残量と時刻との関係を示すグラフの横軸の所望の第１の時刻位置に接触すると（Ｓ６のＹＥＳ）、タッチパネル１８はユーザが接触した第１の座標情報をタッチパネル入力部１９に出力する。タッチパネル入力部１９は、入力された第１の座標情報を比較部１１４及び表示情報取得部１１５に出力する。比較部１１４及び表示情報取得部１１５は、入力された第１の座標情報に基づいて第１の時刻を導き出し、当該第１の時刻において動作するアプリケーションを示す情報を保存部１２から取得する。そして、表示情報取得部１１５は、当該第１の時刻において動作するアプリケーションを示す情報を表示制御部１７に出力する。
【００５０】
表示制御部１７は、図７に示す表示例と同様に、入力された第１の時刻において動作するアプリケーションを示す情報を表示部１６に表示させる（Ｓ７）。一方、比較部１１４は、第１の座標情報が入力されていないと判定すると（Ｓ６のＮＯ）、Ｓ６の工程に戻る。
【００５１】
次に、比較部１１４は、ユーザがタッチパネル１８を介して第２の時刻を入力したか否かを判定する（Ｓ８）。例えば、ユーザがタッチパネル１８におけるバッテリー残量と時刻との関係を示すグラフの横軸の所望の第２の時刻位置に接触すると（Ｓ８のＹＥＳ）、タッチパネル１８はユーザが接触した第２の座標情報をタッチパネル入力部１９に出力する。タッチパネル入力部１９は、入力された第２の座標情報を比較部１１４に出力する。比較部１１４は、入力された第２の座標情報に基づいて第２の時刻を導き出し、当該第２の時刻において動作するアプリケーションを示す情報を保存部１２から取得する。一方、比較部１１４は、第２の座標情報が入力されていないと判定すると（Ｓ８のＮＯ）、Ｓ８の工程に戻る。
【００５２】
次に、比較部１１４は、取得した第１の時刻において動作するアプリケーションと、第２の時刻において動作するアプリケーションと、を比較し、比較結果を示す情報を保存部１２に出力する。
【００５３】
そして、表示情報取得部１１５は、当該比較結果を示す情報を保存部１２から取得して表示制御部１７に出力する。表示制御部１７は、入力された比較結果を示す情報を表示部１６に表示させる（Ｓ９）。
【００５４】
ここで、図８の表示例において、＋が付されたアプリケーション（図８では、アプリケーション４、アプリケーション５）は、第１の時刻では動作しておらず、第２の時刻では動作しているアプリケーションを示している。−が付されたアプリケーション（図８では、アプリケーション２）は、第１の時刻では動作していたが、第２の時刻では動作していないアプリケーションを示している。＋及び−が付されていないアプリケーション（図８では、アプリケーション１、アプリケーション３）は、第１の時刻及び第２の時刻で動作するアプリケーションを示している。
その後は、制御部１１は、Ｓ９の工程が終了するとＳ４の工程に戻る。
【００５５】
このように本実施の形態では、バッテリー残量と動作するアプリケーションとを時間的に関連付けて表示するので、多くの電力を消費しているアプリケーションを容易に認識することができる。
【００５６】
しかも、本実施の形態では、第１の時刻に動作するアプリケーションと第２の時刻に動作するアプリケーションとの比較結果を表示するので、多くの電力を消費しているアプリケーションを一層容易に認識することができる。また、第１の時刻及び第２の時刻の設定は、タッチパネル１８を介して簡単に設定することができる。
【００５７】
なお、本実施の形態では、ユーザがタッチパネル１８を介して第１の時刻を入力した後に、第２の時刻を入力しているが、ユーザが二本の指によってタッチパネル１８を介して第１の時刻と第２の時刻とを同時に入力してもよい。
【００５８】
また、本実施の形態では、第１の時刻及び第２の時刻を入力したが、入力する時刻の数は複数であれば特に限定されない。例えば、さらに第３の時刻を入力し、第１の時刻に動作するアプリケーションと第３の時刻に動作するアプリケーションとの相違、又は第２の時刻に動作するアプリケーションと第３の時刻に動作するアプリケーションとの相違、を検出してもよい。
【００５９】
＜実施の形態３＞
図９は、本実施の形態の携帯端末装置における制御部の構成ブロック図である。本実施の形態の携帯端末装置は、実施の形態２の携帯端末装置と略同様の構成とされているので、相違部分を主として説明し、重複する説明は省略する。ここで、以下の説明において、同一の要素には同一の符号を用いて説明する。
【００６０】
図９に示すように、本実施の形態の携帯端末装置における制御部３１は、実施の形態２の携帯端末装置１０の制御部１１に対して判定部３２を新たに備え、さらに比較部１１４の代わりに比較部３３を備えている。
【００６１】
判定部３２は、所定の間隔でのバッテリー残量の減少が予め設定された閾値以上か否かを判定する。例えば、判定部３２は、連続的又は間欠的にバッテリー残量測定部１１２からバッテリー残量を示す情報を取得する。そして、判定部３２は、所定の間隔でのバッテリー残量の減少、即ち第１の時刻でのバッテリー残量と第２の時刻でのバッテリー残量との差分が予め設定された閾値以上が否かを判定する。判定部３２は、所定の間隔でのバッテリー残量の減少が予め設定された閾値以上であると判定すると、判定結果を示す情報を比較部３３に出力する。一方、判定部３２は、所定の間隔でのバッテリー残量の減少が予め設定された閾値以上でないと判定すると、所定の間隔でのバッテリー残量の減少の判定動作を繰り返す。なお、所定の間隔は、ユーザがタッチパネル１８を介して適宜変更することができることが好ましい。
【００６２】
比較部３３は、判定部３２から判定結果を示す情報が入力されると、閾値以上となった時刻の直前に動作するアプリケーションを示す情報と、閾値以上となった時刻に動作するアプリケーションを示す情報と、を保存部１２から取得する。そして、比較部３３は、閾値以上となった時刻の直前に動作するアプリケーションと、閾値以上となった時刻に動作するアプリケーションと、を比較して比較結果を示す情報を保存部１２に保存する。
【００６３】
表示情報取得部１１５は、比較結果を示す情報を保存部１２から取得し、表示制御部１７に出力する。表示制御部１７は、入力された比較結果を示す情報を表示部１６に表示させる。
【００６４】
このように本実施の形態では、バッテリー残量の減少具合に基づいて比較する時刻を自動的に設定するので、実施の形態２の携帯端末装置１０に比べて第１の時刻及び第２の時刻を設定する必要がない。そのため、多くの電力を消費しているアプリケーションを一層容易に認識することができる。
【００６５】
なお、本実施の形態では、時刻情報を用いて比較動作を実行したが、保存部１２に測定したバッテリー残量を示す情報及び検出したアプリケーションを示す情報は時系列で保存されているので、時刻情報を用いることなく、比較動作を実行してもよい。
【００６６】
＜実施の形態４＞
図１０は、本実施の形態の携帯端末装置における制御部の構成ブロック図である。本実施の形態の携帯端末装置は、実施の形態２の携帯端末装置と略同様の構成とされているので、相違部分を主として説明し、重複する説明は省略する。ここで、以下の説明において、同一の要素には同一の符号を用いて説明する。
【００６７】
図１０に示すように、本実施の形態の携帯端末装置の制御部４１は、実施の形態２の携帯端末装置１０の制御部１１に対して動作状態検出部４２を新たに備えている。動作状態検出部４２は、携帯端末装置のデバイスの動作状態（制御部１１や保存部１２の使用率など）を示す情報を取得し、保存部１２に出力する。保存部１２は、入力された携帯端末装置のデバイスの動作状態を示す情報を、測定したバッテリー残量を示す情報及び検出したアプリケーションを示す情報と時間的に関連付けて保存する。
【００６８】
表示情報取得部１１５は、時間的に関連付けられた、測定したバッテリー残量を示す情報と、検出したアプリケーションを示す情報と、携帯端末装置のデバイスの動作状態を示す情報と、を表示制御部１７に出力する。表示制御部１７は、時間的に関連付けられた、測定したバッテリー残量を示す情報と、検出したアプリケーションを示す情報と、携帯端末装置のデバイスの動作状態を示す情報と、を表示部１６に表示させる。
【００６９】
このように本実施の形態では、測定したバッテリー残量を示す情報と検出したアプリケーションを示す情報とに加えて、携帯端末装置のデバイスの動作状態を示す情報を表示する。そのため、バッテリー残量の変化がアプリケーションの動作に起因するのか、携帯端末装置のデバイスの動作に起因するのか、を容易に認識することができる。
【００７０】
なお、本実施の形態では、携帯端末装置のデバイスの動作状態を示す情報を、常時、表示部１６に表示しているが、タッチパネル１８を介して操作することで、選択的に表示部１６に表示してもよい。また、タッチパネル１８を介して操作することで、動作状態を検出するデバイスの種類を選択可能とすることが好ましい。
【００７１】
本発明は上記実施の形態に限られたものではなく、趣旨を逸脱しない範囲で適宜変更することが可能である。例えば、携帯端末装置がスリープモードの際には、バッテリー残量確認を中断する構成とすると、バッテリーの消費を抑制することができる。また、上述のバッテリー消費確認をプログラムを用いて実行してもよい。さらに、上記実施の形態を組み合わせて実施してもよい。
【符号の説明】
【００７２】
１  バッテリー消費確認装置
２  バッテリー残量測定部
３  アプリケーション検出部
４  保存部
５  表示情報取得部
６  表示部
１０  携帯端末装置
１１  制御部、１１１  アプリケーション実行部、１１２  バッテリー残量測定部、１１３  アプリケーション検出部、１１４  比較部、１１５  表示情報取得部
１２  保存部
１３  タイマー
１４  バッテリー
１５  バッテリー制御部
１６  表示部
１７  表示制御部
１８  タッチパネル
１９  タッチパネル入力部
２０  筐体、２０ａ  開口部
２１  バス
３１  制御部
３２  判定部
３３  比較部
４１  制御部
４２  動作状態検出部
Ｂ１  開始／終了ボタン
Ｂ２  比較ボタン
【図１】
2014096634.tif 000003
【図２】
2014096634.tif 000004
【図３】
2014096634.tif 000005
【図４】
2014096634.tif 000006
【図５】
2014096634.tif 000007
【図６】
2014096634.tif 000008
【図７】
2014096634.tif 000009
【図８】
2014096634.tif 000010
【図９】
2014096634.tif 000011
【図１０】
2014096634.tif 000012